(57)【要約】【課題】非常用点灯ブロックを装備してコスト面で有利にできる照明器具を提供する。【解決手段】照明器具１０は、ランプ１６と、ランプ１６を点灯制御する安定器１７と、ランプ１６および安定器１７を収納し、天井施工面１に直接取り付けられる器具本体１５と、ランプ１６ヘの電源供給が遮断されたときにランプ１６ヘの電源となる蓄電池２１と、蓄電池２１からランプ１６ヘの電源供給を行う非常用点灯ブロック２０と、を備え、器具本体１５の長手方向端部に非常灯ボックス１９を配置して、非常灯ボックス１９の内部に、蓄電池２１および非常用点灯ブロック２０を収容し、器具本体１５と非常灯ボックス１９とを引き寄せて連結するためのソエ板１３を有する補強板１４を備えた。【選択図】図２
2011113658.tif 000002
【特許請求の範囲】
【請求項１】
直管状のランプと、
前記ランプを点灯制御する安定器と、
前記ランプおよび前記安定器を収納し、天井施工面に直接取り付けられる器具本体と、
前記ランプヘの電源供給が遮断されたときに前記ランプヘの電源となる蓄電池と、
前記蓄電池から前記ランプヘの電源供給を行う非常用点灯ブロックと、
を備え、
前記器具本体の長手方向端部に非常灯ボックスを配置して、前記非常灯ボックスの内部に、前記蓄電池および前記非常用点灯ブロックを収容し、
前記器具本体と前記非常灯ボックスとを引き寄せて連結するためのソエ板を有する補強板を備えた照明器具。
【請求項２】
前記補強板の前記ソエ板は、傾斜面付きのスリットを有し、前記傾斜面を介して前記器具本体と前記非常灯ボックスとが移動されることにより前記器具本体と前記非常灯ボックスとが引き寄せられ、前記スリットに挿入されることにより前記器具本体と前記非常灯ボックスとが連結される請求項１に記載の照明器具。
【請求項３】
前記補強板は、前記器具本体および前記非常灯ボックス側に、前記器具本体および前記非常灯ボックスを天井施工面に密着させるためのダボを有する請求項１又は２に記載の照明器具。
【請求項４】
前記蓄電池、前記非常用点灯ブロックおよび点検スイッチを前記非常灯ボックスの幅方向に並べて配列した請求項１ないし請求項３のうちのいずれかに記載の照明器具。
【発明の詳細な説明】
【技術分野】
【０００１】
本発明は、例えば住宅や工場等の天井施工面に直接取り付けられる照明器具に関し、特に非常灯を装備した照明器具に関する。
【背景技術】
【０００２】
従来の照明器具の一例として、器具本体の開口部および背面板を避けた両側に、安定器を含むランプ点灯部品を収納した収納懐部を取り付けたものがある（例えば、特許文献１参照）。
【先行技術文献】
【特許文献】
【０００３】
【特許文献１】特開平１０−１６２６３７号公報（図１、請求項１）
【発明の概要】
【発明が解決しようとする課題】
【０００４】
図１３、図１４に示すように、通常、非常灯を装備した照明器具２００は、蛍光ランプ１０１の点灯回路に加えて、蛍光ランプ１０１ヘの電源供給が遮断されたときに蛍光ランプ１０１の電源となる不図示の蓄電池や、蓄電池から蛍光ランプ１０１ヘの電源供給を行う不図示の非常用点灯ブロックや点検紐２０１を有する不図示の点検スイッチ等の電気部品を内蔵していた。一方、照明のみを行う照明器具３００は、蛍光ランプ１０１の点灯回路のみを内蔵していた。そのため、照明器具２００および照明器具３００では、内蔵される電気部品が異なるために生産性の向上を図ることが難しく、コスト面で不利になる虞があった。
【０００５】
一方、上記特許文献１に開示された従来の照明器具は、安定器を含むランプ点灯部品を収納懐部に収納することにより小型化を図ろうとしている。しかし、収納懐部の収納容量には限界がある。
従って、上記特許文献１に開示された従来の照明器具では、例えば、器具本体の長手方向に長く、外形が大きい蓄電池等を収納する場合、通常の容量の収納懐部に加え、大容量の収納懐部等、複数種類の収納懐部を用意することになり、上記各照明器具２００，３００と同様にして生産性の向上を図ることが難しく、コスト面で不利になる虞があった。
【０００６】
本発明は、前述した課題を解決するためになされたものであり、その目的は、非常用点灯ブロックを装備してコスト面で有利にできる照明器具を提供することにある。
【課題を解決するための手段】
【０００７】
本発明に係る照明器具は、直管状のランプと、前記ランプを点灯制御する安定器と、前記ランプおよび前記安定器を収納し、天井施工面に直接取り付けられる器具本体と、前記ランプヘの電源供給が遮断されたときに前記ランプヘの電源となる蓄電池と、前記蓄電池から前記ランプヘの電源供給を行う非常用点灯ブロックと、を備え、前記器具本体の長手方向端部に非常灯ボックスを配置して、前記非常灯ボックスの内部に、前記蓄電池および前記非常用点灯ブロックを収容し、前記器具本体と前記非常灯ボックスとを引き寄せて連結するためのソエ板を有する補強板を備えた。
【０００８】
本発明においては、蓄電池および非常用点灯ブロックを収容した非常灯ボックスが、補強板のソエ板により器具本体に引き寄せられて連結されることにより、非常用点灯ブロックが簡単に装備される。
従って、本発明においては、非常用点灯ブロックを装備してコスト面で有利にできる。
【０００９】
本発明に係る照明器具は、上記照明器具において、前記補強板の前記ソエ板は、傾斜面付きのスリットを有し、前記傾斜面を介して前記器具本体と前記非常灯ボックスとが移動されることにより前記器具本体と前記非常灯ボックスとが引き寄せられ、前記スリットに挿入されることにより前記器具本体と前記非常灯ボックスとが連結される。
【００１０】
本発明においては、器具本体と非常灯ボックスとが簡単な構造のソエ板で連結されるために、複雑な構造のブラケットやネジ等を用いることがなく、簡潔な構造にできる。
【００１１】
本発明に係る照明器具は、上記照明器具において、前記補強板は、前記器具本体および前記非常灯ボックス側に、前記器具本体および前記非常灯ボックスを天井施工面に密着させるためのダボを有する。
【００１２】
本発明において、天井施工面に有する取付ボルトに挿通された補強板は、取付ボルトへのネジ込みに伴うモーメントにより湾曲し、補強板の湾曲に伴い、ダボを介して器具本体および非常灯ボックスが天井施工面に密着されるために、器具本体および非常灯ボックスと天井施工面との間に無駄な隙間ができない。
【００１３】
本発明に係る照明器具は、上記照明器具において、前記蓄電池、前記非常用点灯ブロックおよび点検スイッチを前記非常灯ボックスの幅方向に並べて配列した。
【００１４】
本発明において、点検スイッチを含み、蓄電池および非常用点灯ブロックが非常灯ボックスの幅方向に並べられることにより大型の非常灯ボックスを適用することなく各部品を整列させることができる。
【発明の効果】
【００１５】
本発明の照明器具によれば、蓄電池および非常用点灯ブロックを収容した非常灯ボックスが、補強板のソエ板により器具本体に引き寄せられて連結される。
これにより、本発明の照明器具によれば、非常用点灯ブロックを装備してコスト面で有利にできるという効果を奏する。
【図面の簡単な説明】
【００１６】
【図１】本発明に係る一実施形態の照明器具の斜め下方から視た外観斜視図
【図２】図１の照明器具の分解斜視図
【図３】図１の照明器具の回路構成図
【図４】図１の照明器具の器具本体と非常灯ボックスとの一部破断外観斜視図
【図５】図１の照明器具の器具本体と非常灯ボックスとの結合前の外観斜視図
【図６】図１の照明器具の器具本体と非常灯ボックスとの結合中の外観斜視図
【図７】図６の要部断面図
【図８】図１の照明器具の器具本体と非常灯ボックスとの結合後の外観斜視図
【図９】図８の要部断面図
【図１０】図１の照明器具の天井施工面への取付中の垂直断面図
【図１１】図１の照明器具の天井施工面への取付後の垂直断面図
【図１２】図１に照明器具に適用される幅広型の非常灯ボックスの斜め下方から視た外観斜視図
【図１３】従来の非常灯を装備した照明器具の外観図
【図１４】従来の照明のみを行う照明器具の外観図
【発明を実施するための形態】
【００１７】
以下、本発明の一実施形態に係る照明器具について図面を参照して説明する。
本発明の一実施形態である照明器具１０は、照明ユニット部１１と、非常灯ユニット部１２と、ソエ板１３を有する補強板部材１４とを備え、補強板部材１４のソエ板１３により照明ユニット部１１と非常灯ユニット部１２とを一体に結合して天井施工面（図２参照）１に直接取り付けられる。照明ユニット部１１は、器具本体１５と、２本の直管型の蛍光ランプ（ランプ）１６と、安定器１７と、反射板１８とを備え、非常灯ユニット部１２は、非常灯ボックス１９と、非常用点灯ブロック２０と、蓄電池２１と、点検スイッチ２２と、非常灯ボックスカバー２３と、を備える。
【００１８】
図１、図２に示すように、器具本体１５は、比較的薄い金属製板部材を折曲成形することにより下方を開放させた電気部品収容部２４を有し、電気部品収容部２４の天部の下面に、安定器１７と、電源端子台２５とが取り付けられているとともに、一対の取付ボルト孔２６と、電源線挿通孔２７とが設けられている。取付ボルト孔２６には、天井施工面１から床面に向けて突出設置されている一対の取付ボルト２が挿通される。そして、これら取付ボルト２に座金３を介してナット４がそれぞれねじ込まれる。電源線挿通孔２７には、天井施工面１側から電源線５が引き込まれる。電源線５は、商用電源（図３参照）Ｖに接続されているとともに電源端子台２５に電気的に接続される。電源端子台２５は、安定器１７を通じて電気部品収容部２４の長手方向に二対設けられているランプソケット２８に電気的に接続される。反射板１８は、電気部品収容部２４の天部に不図示の反射板取付バネにより装着される。蛍光ランプ１６は、ランプソケット２８に装着される。
【００１９】
非常灯ボックス１９は、器具本体１５と同様にして比較的薄い金属製板部材を折曲成形することにより、器具本体１５よりも短い長さ寸法を有して器具本体１５に相似する形状に形成されている。非常灯ボックス１９は、下方を開放させた電気部品収容部２９を有し、電気部品収容部２９の天部の下面に、非常用点灯ブロック２０と、蓄電池２１と、点検スイッチ２２とを取り付けている。非常灯ボックスカバー２３は非常灯ボックス１９の下部に取り付けられることにより電気部品収容部２９を閉塞する。非常用点灯ブロック２０、蓄電池２１、点検スイッチ２２は、非常灯ボックス１９および器具本体１５の幅方向に並べて配列されている。
【００２０】
非常用点灯ブロック２０は、建築基準法に定められた避難誘導用である。非常用点灯ブロック２０は、商用施設や工業施設、宿泊施設等に対して設置が義務付けられており、蓄電池により数十分から数時間程度点灯し続ける能力を有しているため、避難の際に、もし停電したとしても、脱出の目標として使用できるようになっている。非常用点灯ブロック２０は、併用型であり、蛍光ランプ１６が通常時は一般電源、停電時は充電されている蓄電池２１により非常灯させる。非常用点灯ブロック２０は蓄電池２１を内蔵しており、通常の通電時に充電し、停電時に自動的に切り替わって点灯を司る。
【００２１】
非常用点灯ブロック２０に有する蓄電池２１の寿命は通常４年から６年程度のため定期的に交換する必要がある。非常用点灯ブロック２０の蓄電池２１は建築基準法により定期点検が義務付けられている。そのため、非常用点灯ブロック２０には点検スイッチ２２が取り付けられている。点検スイッチ２２は、操作用紐部材３０を床面側に吊り下げて装備しており、操作用紐部材３０を引くことにより停電時と同じ状態となるために、正常に動作するか否かの点検を行う。点検スイッチ２２に装備される充電モニターランプ（ＬＥＤ）３１は、非常灯の動作状況や異常時の原因などを表示する。例えば、緑色の充電モニターランプ３１が点灯している場合は正常であり、赤色の充電モニターランプ３１が点灯、点滅または緑色の充電モニターランプ３１が点滅している場合に異常を示す。
【００２２】
補強板部材１４は、器具本体１５の長さ寸法よりもわずかに短く、非常灯ボックス１９の長さ寸法よりも長い長さ寸法を有する。補強板部材１４は、天板３２と、幅方向に対向配置された一対の側板３３とを有する。天板３２には、一端縁寄りに取付ボルト孔３４が形成されており、長手方向のほぼ中央上部において両側板３３をそれぞれ切り起こすことにより一対のソエ板１３が形成されている。天板３２は、下面の予め定められた６か所に下方に向けて突出するダボ３５がそれぞれ形成されている。
【００２３】
図３に示すように、非常用点灯ブロック２０はコネクタ３６を接続したリード線３７を有する。蓄電池２１はコネクタ３８を接続したリード線３９を有する。そのため、両コネクタ３６，３８を接続することにより非常用点灯ブロック２０と蓄電池２１とが電気的に接続される。非常用点灯ブロック２０は、安定器１７に電気的に接続されており、安定器１７は、電源端子台２５、メインスイッチ４０を通じて商用電源Ｖに電気的に接続されている。
【００２４】
図４に示すように、非常灯ボックス１９は、器具本体１５の幅寸法Ｌ１と同一の幅寸法Ｌ２を有する。器具本体１５は、一方の端部に器具本体側突き合わせ部４１を有し、器具本体側突き合わせ部４１の両側部に、補強板部材１４のソエ板１３が挿入される挿入スリット４２がそれぞれ形成されている。器具本体側突き合わせ部４１は、電気部品収容部２４との間に、補強板部材１４の側板３３を挿入させるための空隙部４３を有する。非常灯ボックス１９は、器具本体１５の器具本体側突き合わせ部４１に対向配置される他方の端部に非常灯ボックス側突き合わせ部４４を有し、非常灯ボックス側突き合わせ部４４の両側部に、補強板部材１４のソエ板１３が挿入される挿入スリット４５がそれぞれ形成されている。非常灯ボックス側突き合わせ部４４は、電気部品収容部２９との間に、補強板部材１４の側板３３を挿入させるための空隙部４６を有する。
【００２５】
次に、補強板部材１４のソエ板１３の詳細および補強板部材１４のソエ板１３を用いて、器具本体１５と非常灯ボックス１９とを結合させる手順について説明する。
図５に示すように、補強板部材１４のソエ板１３には、下方が開放されていて逆Ｙ字形状に切除された差し込みスリット４７を有し、差し込みスリット４７は、上端部に配置された合体部４８の幅寸法が器具本体１５の器具本体側突き合わせ部４１と非常灯ボックス１９の非常灯ボックス側突き合わせ部４４との合算値と同等に設定されており、合体部４８の下方に一対の傾斜面状の誘導部４９が形成されている。
【００２６】
器具本体１５と非常灯ボックス１９との結合に際し、まず、器具本体１５の器具本体側突き合わせ部４１と非常灯ボックス１９の非常灯ボックス側突き合わせ部４４とを接近させていき、その位置で、上方から補強板部材１４のソエ板１３を下降させていく。
【００２７】
図６、図７に示すように、器具本体１５の器具本体側突き合わせ部４１と非常灯ボックス１９の非常灯ボックス側突き合わせ部４４との上方から補強板部材１４のソエ板１３が下降されていくことにより、ソエ板１３の差し込みスリット４７において一方の誘導部４９が器具本体側突き合わせ部４１の挿入スリット４２に当接され、ソエ板１３の下降に伴い、挿入スリット４２が誘導部４９に誘導されながら合体部４８に向けて進行される。同時的に、ソエ板１３の差し込みスリット４７において他方の誘導部４９が非常灯ボックス側突き合わせ部４４の挿入スリット４５に当接され、ソエ板１３の下降に伴い、挿入スリット４５が誘導部４９に誘導されながら合体部４８に向けて進行される。
【００２８】
図８、図９に示すように、補強板部材１４のソエ板１３が、さらに下降されていくことにより、一方の誘導部４９から合体部４８に器具本体側突き合わせ部４１の挿入スリット４２が入り込むとともに、他方の誘導部４９から合体部４８に非常灯ボックス側突き合わせ部４４の挿入スリット４５が入り込んでいき、器具本体側突き合わせ部４１と非常灯ボックス側突き合わせ部４４とが突き合わされる。
【００２９】
図１０、図１１に示すように、器具本体側突き合わせ部４１と非常灯ボックス側突き合わせ部４４とが突き合わされた状態において、補強板部材１４のダボ３５が、器具本体１５の電気部品収容部２４の天部に当接されるとともに、非常灯ボックス１９の電気部品収容部２９の天部に当接され、補強板部材１４の上面から、器具本体１５の電気部品収容部２４の天部および非常灯ボックス１９の電気部品収容部２９の天部にネジ５０がそれぞれネジ込まれる。そして、補強板部材１４の取付ボルト孔３４、器具本体１５の取付ボルト孔２６が一方の取付ボルト２に挿通され、座金３を介してナット４が取付ボルト２にねじ込まれることにより、結合された器具本体１６および非常灯ボックス１９が天井施工面１に取り付けられる。
【００３０】
このとき、ナット４が取付ボルト２にねじ込まれる前に、万が一に、器具本体１５に対して非常灯ボックス１９が下方に向けて傾いていたとしても、取付ボルト２へのナット４にネジ込みに伴うモーメントによって非常灯ボックス１９が天井施工面１に向けて近付くように傾動されることにより天井施工面１との間に無駄な隙間が生じない。
【００３１】
図１２に示すように、非常灯ボックス１９は、幅寸法（図４参照）Ｌ２よりも大きい幅寸法Ｌ３を有するものとして成形されても良い。この場合も、非常用点灯ブロック２０、蓄電池２１、点検スイッチ２２が、非常灯ボックス１９および器具本体１５の幅方向に並べて配列される。
【００３２】
以上説明してきたように、本発明の一実施形態の照明器具１０では、蓄電池２１および非常用点灯ブロック２０を収容した非常灯ボックス１９が、補強板部材１４のソエ板１３により器具本体１５に引き寄せられて連結されることにより、非常用点灯ブロック２０が簡単に装備される。
従って、本発明においては、非常用点灯ブロック２０を装備してコスト面で有利にできる。
【００３３】
本発明の一実施形態の照明器具１０では、器具本体１５と非常灯ボックス１９とが簡単な構造のソエ板１３で連結されるために、複雑な構造のブラケットやネジ等を用いることがなく、簡潔な構造にできる。
【００３４】
本発明の一実施形態の照明器具１０では、天井施工面１に有する取付ボルト２に挿通された補強板部材１４は、取付ボルト２へのネジ込みに伴うモーメントにより湾曲し、補強板部材１４の湾曲に伴い、ダボ３５を介して器具本体１５および非常灯ボックス１９が天井施工面１に密着されるために、器具本体１５および非常灯ボックス１９と天井施工面１との間に無駄な隙間ができない。
【００３５】
本発明の一実施形態の照明器具１０では、点検スイッチ２２を含み、蓄電池２１および非常用点灯ブロック２０が非常灯ボックス１９の幅方向に並べられることにより大型の非常灯ボックスを適用することなく各部品を整列させることができる。
【００３６】
なお、前記各実施形態で使用した器具本体１５、蛍光ランプ１６、安定器１７、反射板１８等は例示したものに限定するものではなく適宜変更が可能である。
【符号の説明】
【００３７】
１  天井施工面
１０  照明器具
１３  ソエ板
１４  補強板部材（補強板）
１５  器具本体
１６  蛍光ランプ（ランプ）
１７  安定器
１９  非常灯ボックス
２０  非常用点灯ブロック
２１  蓄電池
２２  点検スイッチ
３５  ダボ
４７  差し込みスリット（スリット）
４９  誘導部（傾斜面）
【図１】
2011113658.tif 000003
【図２】
2011113658.tif 000004
【図３】
2011113658.tif 000005
【図４】
2011113658.tif 000006
【図５】
2011113658.tif 000007
【図６】
2011113658.tif 000008
【図７】
2011113658.tif 000009
【図８】
2011113658.tif 000010
【図９】
2011113658.tif 000011
【図１０】
2011113658.tif 000012
【図１１】
2011113658.tif 000013
【図１２】
2011113658.tif 000014
【図１３】
2011113658.tif 000015
【図１４】
2011113658.tif 000016